(57)【要約】【課題】建物における制振ダンパーに関し、制振ダンパー用のスペースを多く取ること、そして、カーテンウォールに適用する場合にはひび割れが生じないようにすること、ガラスが割れないようにして透明性を確保することが課題である。【解決手段】高粘性のシリコーンオイル２を内部空間部３に貯留した箱体４と、該箱体のシリコーンオイル中に一部が振動方向に沿って没入され且つ同方向に摺動可能な板５とからなり、前記箱体４の内壁面若しくは前記板５の少なくとも片面に凹部６ａ又は凸部６ｂを有する制振ダンパー１とする。【選択図】図１
2005090579.tif 000002
【特許請求の範囲】
【請求項１】
高粘性のシリコーンオイルを内部空間部に貯留した箱体と、
該箱体のシリコーンオイル中に一部が振動方向に沿って没入され且つ同方向に摺動可能な板とからなり、
前記箱体の内壁面若しくは前記板の少なくとも片面に凹部又は凸部を有すること、
を特徴とする制振ダンパー。
【請求項２】
粘性体と、箱体と、板との各々が、透明であること、
を特徴とする請求項１に記載の制振ダンパー。
【発明の詳細な説明】
【技術分野】
【０００１】
本発明は、建物における、主に外壁用であって、その他構造物一般に使用される制振ダンパーに関するものである。
【背景技術】
【０００２】
従来、建物における制振ダンパーとしては、例えば、高粘性物質が充填された壁状の箱体の空間部に、抵抗板を建て込み、この抵抗板を直上階の梁若しくは床に固定し、この梁若しくは床を介して伝達される建物の振動エネルギーを抵抗板の受ける高粘性物質の流速抵抗と面抵抗によって減衰させるようにした、制振ダンパーが知られている。また、前記壁状の箱体における空間部の上端部若しくは側部に粘性物質貯留部を設けたものがある。
【０００３】
近年、制振構造が増加してきたが、その多くはダンパーの数量が多くなり、室内スペースを占有することになり、平面計画を制約するという問題を抱えている。このような観点から、ダンパーを外壁や外周フレームに組み込むことが出来れば、理想の制振構造となる。
ところが、外壁や外周フレームには夏冬、南北の温度変化が著しいという環境条件に曝されるとともに、美観や雨閉まいという建物にとって最も重要な機能が要求される。いろいろなダンパーが提案されているが、上記にような条件を満たすものはなく、実用化されているものはほとんどない。
【０００４】
また、外壁にカーテンウォールを用いる場合、大梁との相対変位を利用して制振ダンパーを組み込みやすいが、当該カーテンウォールは、通常は、コンクリート製が多くひび割れを生じやすかったり、前記制振ダンパーが粘弾性ダンパー等では温度変化に伴う力学的性質の変化が大きかったり、履歴型ダンパー（鋼材ダンパー、鉛ダンパー）等では残留変位を生じたり、それぞれに不都合があって実現を困難にしている。
【０００５】
更に、外壁が全面ガラスの場合、枠体とガラスとの間に制振ダンパーを組み込みやすいが、透明性を確保して、ガラスが割れることは絶対に許されないので実現が困難である。
【特許文献１】特開平０５−８６７４４号公報
【特許文献２】特開２０００−２７４８５号公報
【発明の開示】
【発明が解決しようとする課題】
【０００６】
解決しようとする問題点は、制振ダンパー用の室内スペースを少なくすること、そして、カーテンウォールに適用する場合にはひび割れが生じないようにすること、また、ガラスを制振ダンパーとして兼用する場合にはガラスが割れないようにして透明性を確保することである。
【課題を解決するための手段】
【０００７】
本発明の制振ダンパーは、高粘性のシリコーンオイルを内部空間部に貯留した箱体と、該箱体のシリコーンオイル中に一部が振動方向に沿って没入され且つ同方向に摺動可能な板とからなり、前記箱体の内壁面若しくは前記板の少なくとも片面に凹部又は凸部を有することである。また、前記粘性体と、箱体と、板との各々が、透明であることを含むものである。
【発明の効果】
【０００８】
本発明に係る請求項１，２に記載の制振ダンパーは、カーテンウォール型、ブレース型で、シリコーンオイルを用いることにより温度による力学的性質の変化が極めて小さいとともに耐久性にも優れている、またビンガム型の履歴特性なので小さな荷重で比較的大きなエネルギー吸収が可能であり、カーテンウォールのひび割れ発生を回避できる。更に、凹部又は凸部を設けることで所定の間隔を保つセパレーター機能とともに、その凹凸が多いときにはオリフィスとして働き減衰機能ともなる。透明体にすることで、ガラス等にも使用することができるというと言う優れた効果を奏するものである。
【発明を実施するための最良の形態】
【０００９】
本発明に係る制振ダンパーを、高粘性のシリコーンオイルと、摺動可能な板の少なくとも片面に凹凸を設けることで、小スペースにして、且つ、効果的に減衰作用させるようにすると共に、ガラスに適用できるように透明にすることで、目的を実現する。
【実施例１】
【００１０】
本発明に係る制振ダンパー１は、図１に示すように、高粘性のシリコーンオイル２を内部空間部３に貯留した、矩形状の金属板を溶接手段で溶着（ａ部）して形成した箱体４と、該箱体４のシリコーンオイル中に一部５ａが振動方向に沿って没入され且つ同方向に摺動可能な、金属製（例えば、鋼板）の板５とからなる。
【００１１】
前記箱体４の内壁面若しくは前記板５の少なくとも片面に、図２乃至図３に示すように、凹部６ａ又は凸部６ｂを有する。また、箱体４の上部には、本体部よりも広く開口させたオイル貯留部４ａがある。前記箱体４の内壁面の凹凸が、板５の片面に当接して上下方向に摺接するように設定され、更に、板５の凹凸も箱体の内壁面に当接して摺接するように設定されているが、これに限らず、当接させないで内部空間部３に間隙を有して遊嵌させてもよい。
【００１２】
前記凹６ａ，凸６ｂを設けるには、前記箱体４の内部空間３に面した表面にプレスやローラーで設けるものや、板５の片面側に凹凸が設けられ、特に、図３に示すように、縞目模様状の凹凸が設けられた縞鋼板とする場合がある。    
【００１３】
前記箱体４の側面のフランジ部に穿設された複数個の孔は、建物の柱等に取り付けるための取付孔４ｂであり、同様に、前記板５の上部にも、梁等に取り付けるための取付孔５ｂが複数箇所に穿設されている。
【００１４】
このように形成される制振ダンパー１の使用方法を説明する。たとえば、図４乃至図５に示すように、水平変位を利用する帳壁としてのカーテンウォール７の場合、そのカーテンウォール７の裏面側に、前記箱体４をボルトで固着する。
【００１５】
当該箱体４に予め嵌装されていた板５の上部を少し引き上げて、大梁８に垂設した取付板８ａにボルトナットで固定する。なお、箱体４と、板５との取付順序は特に限定されず、また、高粘性のシリコーンオイル２も、箱体４に板５を没入・装着した後に、内部空間部３に注入するようにしてもよい。
【実施例２】
【００１６】
図６に示すように、回転変位を利用するカーテンウォール７の場合には、外壁用の制振ダンパー１を縦に細長くして形成し、回転中心９から距離を置いて、変位の最も大きくなる位置に取り付けるようにする。
【実施例３】
【００１７】
図７乃至図９は、ブレース型粘性ダンパーとして利用したものを示している。図７、図8に示すように、ブレース材となる鋼材１０、１０の一方に縞鋼版を上下フランジ間に溶接して箱体４を固定し、他方に片面に凹凸を有した鋼板の板５を内部空間部に摺動自在に嵌装させる。これにより、図９に示すように、鋼材１０の斜めの軸線方向の振動エネルギーを吸収して減衰させる。
【実施例４】
【００１８】
次に、本発明の他の実施例は、図１０に示すように、前記制振ダンパー１において、粘性体２と、箱体４と、板５との各々が、透明である制振ダンパー１ａにしたことである。
【００１９】
そこで、箱体４を透明なガラスで形成する。高粘性のシリコーンオイル２は透明である。また、板５も透明なガラスで形成する。前記箱体４は下部枠体１２と応力緩衝材１３とで支持され、前記板５は、上部枠体１１と応力緩衝材１３とで支持されている。前記箱体４の上部と上部枠体１１との間には、前記シリコーンオイル２の漏出を防止するゴムシール１４が設けられている。
【００２０】
なお、ガラス製の箱体４及び板５のいずれかには、少なくとも片面に凹凸が設けられている。当該凹凸がシリコーン系の樹脂（その他、ガラス等）による場合もある。
【００２１】
このような、透明な制振ダンパー１ａにより、外壁が全面ガラスの場合にも、その透明性を確保して、粘性ダンパーを、例えば、建物の外壁の一部に設けることができるようになる。
【実施例５】
【００２２】
このほか、図１１に示すように、本発明の制振ダンパー１を、例えば、建物の浮き上がりを許容する鉄骨構造の建物（Ｓ造）において、柱脚の浮上がり部に適用することもできる。即ち、前記制振ダンパー１の箱体４を、建物の一部の柱基礎部１５側に設け、板５を柱１６と基礎梁１７との下部に設け、高粘性シリコーンオイル２で支持するものである。前記箱体４上部の基礎梁１７下に取り付けたものは、ゴム等のシール部材１８である。このような例によれば、地震時において、浮上がり部Ｂの柱の浮き上がりにより振動エネルギーが吸収され、上下方向における建物全体の揺れが緩和される。
【図面の簡単な説明】
【００２３】
【図１】本発明に係る制振ダンパー１の斜視図である。
【図２】同制振ダンパー１の断面図である。
【図３−Ａ】縞鋼板の平面図である。
【図３−Ｂ】同縞鋼板の一部の断面図である。
【図４】同制振ダンパー１をカーテンウォール７に取り付けた場合の一部の断面図である。
【図５】同制振ダンパー１をカーテンウォール７に取り付けた場合の一部の、正面図である。
【図６】同制振ダンパー１をカーテンウォール７に取り付けた場合の一部の、正面図である。
【図７】同制振ダンパー１をブレース材に取り付けた場合の、斜視図である。
【図８】同ブレース材に外壁用の制振ダンパー１を取り付けた場合の断面図である。
【図９】同制振ダンパー１をブレース材に取付けて使用した場合の正面図である。
【図１０】同透明な制振ダンパー１ａとした場合の斜視図である。
【図１１】同制振ダンパー１の他の実施例に係る正面図（Ａ）と、Ａ−Ａ線に沿った断面図（Ｂ）である。
【符号の説明】
【００２４】
１    制振ダンパー、  
１ａ  透明な制振ダンパー、
２    シリコーンオイル、
３    内部空間部、
４    箱体、
４ａ  オイル貯留部、
４ｂ  取付孔、
５    板、
５ａ  板の一部、
５ｂ  取付孔、
６ａ  凹部、
６ｂ  凸部、
７    カーテンウォール、
８    大梁、
８ａ  取付板、
９    回転中心、
１０  鋼材、
１１  上部枠体、
１２  下部枠体、
１３  応力緩衝材、
１４  ゴムシール、
１５  柱基礎部、
１６  柱、
１７  基礎梁、
１８  シール部材。
【図１】
2005090579.tif 000003
【図２】
2005090579.tif 000004
【図３−Ａ】
2005090579.tif 000005
【図３−Ｂ】
2005090579.tif 000006
【図４】
2005090579.tif 000007
【図５】
2005090579.tif 000008
【図６】
2005090579.tif 000009
【図７】
2005090579.tif 000010
【図８】
2005090579.tif 000011
【図９】
2005090579.tif 000012
【図１０】
2005090579.tif 000013
【図１１】
2005090579.tif 000014